(57)【要約】【課題】既設の引き違い障子の戸先框に戸先錠を後付けする場合であっても、簡単な施工によって後付けすることができる引き違いサッシを提供する。【解決手段】枠体内に引き違い自在に障子を備え、この障子の戸先框に戸先錠を備え、この戸先錠の錠受け２１を障子の移動方向延長上Ａを避け、室内側に延出させて枠体１に設けた。【選択図】　　　図５
2004036126.tif 000002
【特許請求の範囲】
【請求項１】
枠体内に摺動自在に障子を備え、この障子の戸先框に戸先錠を備え、この戸先錠の錠受けを障子の移動方向延長上を避け、室内側に延出させて前記枠体に設けたことを特徴とする開口部装置。
【請求項２】
枠体内に摺動自在に障子を備え、この障子の戸先框に、アシスト把手及び戸先錠を戸先框の見込み方向に重ねて配置し、前記戸先錠の錠受けを前記障子の移動方向延長上を避け、室内側に延出させて前記枠体に設け、この錠受けに前記アシスト把手の障子蹴り出し部が当接する当接部を設けたことを特徴とする開口部装置。
【発明の詳細な説明】
【０００１】
【発明の属する技術分野】
本発明は、障子の戸先框に戸先錠を備えた引き違いサッシ、片引きサッシ、引き戸等の開口部装置に関する。
【０００２】
【従来の技術】
一般に、枠体内に引き違い自在に障子を備えた引き違いサッシが知られている。この種のものでは、障子の大きさが大きくなり、その重量が重くなった場合、障子の開閉に大きな開放力が必要になる。
【０００３】
この開放力をアシストするため、障子の戸先框にアシスト把手（例えば、特開２００１−２７１５２０号公報）を備えたものが提案される一方、従来の引き違いサッシでは、召内合せ框に錠を備え、さらに各障子の戸先框にも戸先錠を備えたものが提案されている。
【０００４】
【発明が解決しようとする課題】
ところで、従来の構成では、既設の引き違い障子の戸先框に、戸先錠を後付けする場合がある。この場合、戸先錠の錠受けを枠体の縦枠に取り付けるとき、それを障子の移動方向延長上に取り付けている。
【０００５】
そのため、錠受けを後付けする場合、一旦、枠体の縦枠を取り外さなければならず、施工が困難になるという問題がある。
【０００６】
こで、本発明の目的は、上述した従来の技術が有する課題を解消し、既設の引き違い障子の戸先框に戸先錠を後付けする場合であっても、簡単な施工によって後付けすることができる開口部装置を提供することにある。
【０００７】
【課題を解決するための手段】
請求項１記載の発明は、枠体内に摺動自在に障子を備え、この障子の戸先框に戸先錠を備え、この戸先錠の錠受けを障子の移動方向延長上を避け、室内側に延出させて前記枠体に設けたことを特徴とする。
【０００８】
請求項２記載の発明は、枠体内に摺動自在に障子を備え、この障子の戸先框に、アシスト把手及び戸先錠を戸先框の見込み方向に重ねて配置し、前記戸先錠の錠受けを前記障子の移動方向延長上を避け、室内側に延出させて前記枠体に設け、この錠受けに前記アシスト把手の障子蹴り出し部が当接する当接部を設けたことを特徴とする。
【０００９】
【発明の実施の形態】
以下、本発明の一実施形態を添付図面に従って説明する。
【００１０】
図１は、引き違いサッシ（開口部装置）を示す。この引き違いサッシは、枠体１を備え、この枠体１は、上枠１ａと、下枠１ｂと、左右に配置された縦枠１ｃ，１ｄとを四方枠組みして構成されている。この枠体１内には、外障子４と内障子５とが開閉自在に設けられている。
【００１１】
これら障子４，５の戸先框６，７には、ハンドルユニット２，３が取り付けられ、召内合せ框８には錠９が設けられている。このハンドルユニット２，３は、図２Ａ及び図２Ｂに示すように、それぞれの障子４，５の開放力をアシストするアシスト把手１０と、戸先錠２０と、スペーサ３０とを備えて構成されている。図３は、一方のハンドルユニット３を示す。このハンドルユニット３の取り付け方を説明すると、まず、戸先框７にスペーサ３０をねじ３１で固定し、このスペーサ３０の上に戸先錠２０とアシスト把手１０とを戸先框７の見込み方向に重ねてねじ１１で固定する。
【００１２】
すなわち、アシスト把手１０が最上位に位置して、その下に、戸先錠２０が位置するように重ねて配置されている。
【００１３】
上記の構成では、ねじ１１が、まず、アシスト把手１０のボデーの通し孔１０Ｃを貫通し、戸先錠２０のボデーの凹部２０Ｃに取り付けられた、上記ねじ３１のカバー２５の通し孔２５Ａを貫通し、戸先錠２０のボデーを貫通して、スペーサ３０の孔３０Ｂに螺入され、最後に、このねじ１１のカバー２７が、アシスト把手１０のボデーに取り付けられている。
【００１４】
上記アシスト把手１０は、図２Ａに示すように、その内部に蹴り出し部材１０Ａを備え、アシスト把手１０のハンドル１０Ｂが、矢印Ａの方向に手動によって回動された場合、この蹴り出し部材１０Ａが位置Ｃから位置Ｄへ突出して、この過程で、蹴り出し部材１０Ａによって、上記の縦枠１ｄ（図１）が蹴り出され、障子５の開放力がアシストされる。
【００１５】
図４は、スペーサ３０、戸先錠２０、及びアシスト把手１０の取り付け部の断面図である。このスペーサ３０は突部３０Ａを有し、この突部３０Ａは、戸先框７に設けた化粧部材７Ａの凹部７Ｂに嵌合する。
【００１６】
このスペーサ３０は、この突部３０Ａを凹部７Ｂに嵌合させた状態で、上記ねじ３１を介して戸先框７に固定されている。
【００１７】
このスペーサ３０は、種々の形状のものを準備しておき、障子の室内側の面形状が異なる場合、それに対応したスペーサ３０を使用する。これによれば、ほかの戸先錠２０、及びアシスト把手１０等の共通化が図られる。スペーサ３０の高さＨは、所定の高さに設定され、このスペーサ３０に、ねじ１１を介して戸先錠２０を取り付けた場合、この戸先錠２０のロック爪２０Ａが、ロック受け部材（錠受け）２１の受け孔２１Ａに係合するように、このロック受け部材２１が上記縦枠１ｄにねじ２２を介して取り付けられている。
【００１８】
本実施形態では、ロック受け部材２１が、図５に示すように、障子５の移動方向延長上（化粧部材７Ａの凹部７Ｂ）を避けるように室内側に延出され、この室内側に延出された部分２１Ｂに、戸先錠２０のロック爪２０Ａが係合する受け孔２１Ａが形成されている。このロック受け部材２１は、一端が、化粧部材７Ａの凹部７Ｂ内に延出して、そこにねじ３５を介して固定されると共に、他端が、枠体１が固定された木製額縁３９の室内側の面内に延出し、そこにねじ３５を介して固定されている。このロック受け部材２１にはアシスト把手１０の蹴り出し部材１０が当接する当接部２１Ｃが一体形成されている。
【００１９】
これによれば、当接部２１Ｃの兼用化が図れ、これらを二部品とした場合に比べて、部品点数が削減される。
【００２０】
戸先錠２０のロック爪２０Ａは、図２Ａに示す戸先錠２０の操作部２０Ｂを、矢印Ｂの方向に移動させると、ロック受け部材２１側へ突出し、操作部２０Ｂを図示の位置に戻した場合、戸先錠２０のロック爪２０Ａが、戸先錠２０の内側に格納されて、ロックが解除される。
【００２１】
この戸先錠２０の操作部２０Ｂは、図２Ａに示すように、アシスト把手１０のボデーの側方に張り出すように位置し、室内側からのロック操作を可能に、戸先錠２０の側面部に設けられている。
【００２２】
本実施形態では、既設の障子５の戸先框７に、戸先錠２０を後付けする場合であっても、図３に示すように、障子５の室内側の面に戸先錠２０を後付けすると共に、図５に示すように、縦枠１ｄの室内側の露出面に、ねじ３５を介して、ロック受け部材２１を取り付けるだけで、戸先錠２０を後付けすることができるため、従来のように、縦枠１ｄを取り外して後付けする必要がなく、簡単に施工することができる等の効果が得られる。
【００２３】
上記構成では、スペーサ３０と、戸先錠２０と、アシスト把手１０とを上下に積み重ねる構造のため、いずれかの部品を取り除いたり、別の部品と組み合わせたりすることが容易である。
【００２４】
例えば、図６は、スペーサ３０と、戸先錠２０とを上下に積み重ねた構造を示し、図７は、スペーサ３０と、戸先錠２０とを上下に積み重ね、その上に、アシスト把手１０の代わりに、大型把手４０を積み重ねた構造を示す。図６では、カバー２５に通し孔２５Ａがあいていない。
【００２５】
図６、又は図７に示す戸先錠２０に対応するロック受け部材２１は、図５に示す構造とほぼ同様の構造となるが、ここではアシスト把手１０が取り付けられていないため、当接部２１Ｃが省略される。
【００２６】
この場合、ロック受け部材２１は、一端が、化粧部材７Ａの凹部７Ｂ内に延出して、そこにねじ３５を介して固定されるだけであり、他端は、部分２１Ｂで終端し、ねじ止めされない。
【００２７】
上記の構成では、スペーサ３０の通し孔３０Ｂ、戸先錠２０のボデーの孔、アシスト把手１０の通し孔１０Ｃ、大型把手４０の通し孔（図示せず）の各孔間ピッチがすべて同一に形成されている。
【００２８】
これによれば、それぞれの孔間ピッチがすべて同一ピッチに形成されているため、スペーサ３０と、戸先錠２０と、アシスト把手１０とを上下に積み重ねたり、いずれかの部品を取り除いて積み重ねたり、或いは別の部品と組み合わせて積み重ねたり、容易に行うことができる。
【００２９】
上記構成では、アシスト把手１０のハンドル１０Ｂの操作と、戸先錠２０の操作部２０Ｂの操作とが連動していない。別の実施形態として、これらを連動させることが可能である。例えば、障子５が閉じた状態で、戸先錠２０のロック爪２０Ａが、ロック受け部材２１側へ突出して、その受け孔２１Ａに係合しており、アシスト把手１０のハンドル１０Ｂが操作された場合、上記の実施形態と同様に、蹴り出し部材１０Ａが蹴り出され、障子５の開放力がアシストされると共に、戸先錠２０のロック爪２０Ａが、ロック受け部材２１から後退し、ロック解除されるように構成してもよい。
【００３０】
以上、一実施形態に基づいて本発明を説明したが、本発明は、これに限定されるものでないことは明らかである。例えば、引き違いサッシだけでなく、片引きサッシ、玄関引き戸、勝手口引き戸、浴室引き戸等の横方向に摺動する障子を備えた開口部装置にも適用可能である。また、戸先錠及びアシスト把手は、既存の開口部装置に後付けするタイプだけではなく、工場で予め取り付けられる先付けタイプにも適用可能である。
【００３１】
【発明の効果】
請求項１記載の発明では、既設の引き違い障子の戸先框に戸先錠を後付けする場合であっても、簡単な施工によって後付けが可能になる。
【００３２】
請求項２記載の発明では、錠受けにアシスト把手の障子蹴り出し部が当接する当接部を設けたため、当接部の兼用化が図れ、二部品とした場合に比べて、部品点数を削減することができる。
【図面の簡単な説明】
【図１】本発明による引き違いサッシの一実施形態を示す平面図である。
【図２】Ａはアシスト把手の正面図、Ｂは同側面図である。
【図３】スペーサ、戸先錠、アシスト把手の分解斜視図である。
【図４】スペーサ、戸先錠、アシスト把手の断面図である。
【図５】錠受けの分解斜視図である。
【図６】スペーサ、戸先錠の分解斜視図である。
【図７】スペーサ、戸先錠、大型把手の分解斜視図である。
【符号の説明】
１　枠体
２，３　ハンドルユニット
４，５　障子
６，７　戸先框
１０　アシスト把手
１０Ａ　蹴り出し部材
２０　戸先錠
２１　ロック受け部材（錠受け）
３０　スペーサ
【図１】
2004036126.tif 000003
【図２】
2004036126.tif 000004
【図３】
2004036126.tif 000005
【図４】
2004036126.tif 000006
【図５】
2004036126.tif 000007
【図６】
2004036126.tif 000008
【図７】
2004036126.tif 000009